(57)【要約】【課題】写真等の展示機能を有すると共に、食品や小さな玩具等を収容可能であるフォトフレームを提供すること。【解決手段】少なくとも一つのフォトフレーム本体を含み、前記フォトフレーム本体は内部に収容空間を有し、前記収容空間は、両側の額縁に係り具がそれぞれ設けてあり、上端に押付ブロックが設けてあり、底額縁にパッドが設けてあり、両側の額縁は、上部に斜め切り欠がそれぞれ設けてあり、下段には前記底額縁に垂直する溝がそれぞれ設けてあり、前記溝は前記底額縁から前記斜め切り欠の底縁に接近する箇所まで延在することを特徴とする。【選択図】図３
0003140308.tif 000002
【実用新案登録請求の範囲】
【請求項１】
少なくとも一つのフォトフレーム本体と、該フォトフレーム本体の背面側から内側に嵌挿可能な容器とを含み、
前記フォトフレーム本体はその内部に収容空間を形成し、
前記フォトフレーム本体の両側の額縁には収容空間に面して係り具が夫々形成してあり、
前記フォトフレーム本体の上側の額縁には押付ブロックが設けてあり、
前記フォトフレーム本体の底額縁にはパッドが設けてあり、
前記フォトフレーム本体の両側の額縁には、上部に斜め切り欠がそれぞれ設けてあり、
前記フォトフレーム本体の両側の額縁と前記底額縁には、前記底額縁から斜め切り欠の下方に接近する箇所まで連続した溝が形成してあることを特徴とする、
フォトフレーム。
【請求項２】
前記容器の輪郭は前記フォトフレーム本体の収容空間の輪郭と同じであることを特徴とする、請求項１に記載のフォトフレーム。
【請求項３】
前記係り具の数量及び形成位置は、前記フォトフレーム本体の収容空間の大きさによって適宜選択して形成されることを特徴とする、請求項１に記載のフォトフレーム。
【考案の詳細な説明】
【技術分野】
【０００１】
本考案は容器を具備したフォトフレームに係り、特に容器との間に写真等を挟んでフォトフレームとして使用可能であるとともに、容器の内部に食品や玩具等を収容することも可能なフォトフレームに関するものである。
【背景技術】
【０００２】
写真は発生した事象を画像で記録するものであるので、写真アルバムによって保存する人が多い。また、特別に写真をフォトフレームに入れて展示することもよくある。そのため、フォトフレームは極めて重要な存在である。特色を有するフォトフレームに写真を入れると、写真を見た人に与える感覚が素晴らしく変化することから、フォトフレームの素材は木製から金属製へとどんどん変化している。
【０００３】
図１及び図２に写真を展示するための従来のフォトフレームを示す。写真を固定する方式も何種類かあるが、一般的には例えば、フォトフレーム１０の額縁１１に旋回可能な固定片１３が複数に設けてある。フォトフレーム１０の背面から写真を入れた後に封止板１２を取り付け、最後に固定片１３を所定の係止位置に旋回操作をすることで、写真等を固定して展示できるるようになっている。
そして封止板１２にある支持脚１４を外方へ展開することでフォトフレーム１０が支持されて、写真の展示目的を達成することができる。
しかしながら、このような従来のフォトフレーム１０はその構成部品点数が多く、フォトフレーム１０の製作に多くの工数を要する。
さらに封止板１２は、背面が極めて単調であり、小さな玩具やプレゼント等を収容可能な収容空間が設けられていないので、フォトフレーム１０の全体機能は写真を展示することだけある。
【考案の開示】
【考案が解決しようとする課題】
【０００４】
本考案の主な目的は、写真等の展示機能を具備すると共に、フォトフレーム本体の背面に設けられた容器に小さな玩具やプレゼント等を入れることもできるフォトフレームを提供することにある。
【課題を解決するための手段】
【０００５】
上記目的を達成するため、本願の第１考案は、少なくとも一つのフォトフレーム本体と、該フォトフレーム本体の背面側から内側に嵌挿可能な容器とを含み、前記フォトフレーム本体はその内部に収容空間を形成し、前記フォトフレーム本体の両側の額縁には収容空間に面して係り具が夫々形成してあり、前記フォトフレーム本体の上側の額縁には押付ブロックが設けてあり、前記フォトフレーム本体の底額縁にはパッドが設けてあり、前記フォトフレーム本体の両側の額縁には、上部に斜め切り欠がそれぞれ設けてあり、前記フォトフレーム本体の両側の額縁と前記底額縁には、前記底額縁から斜め切り欠の下方に接近する箇所まで連続した溝が形成してあることを特徴とする、フォトフレームであることを要旨としている。
【０００６】
本願の第２考案は、前記容器の輪郭は前記フォトフレーム本体の収容空間の輪郭と同じであることを特徴とする、前記第１考案に記載のフォトフレームであることを要旨としている。
【０００７】
本願の第３考案は、前記係り具の数量及び形成位置は、前記フォトフレーム本体の収容空間の大きさによって適宜選択して形成されることを特徴とする、前記第１考案に記載のフォトフレームであることを要旨としている。
【考案の効果】
【０００８】
本考案によれば、写真等を展示する機能を具備するだけでなく、フォトフレーム本体の背面に設けられた容器に小さな玩具やプレゼント等を収容することも可能なフォトフレームを提供することができる。
【考案を実施するための最良の形態】
【０００９】
以下、添付図面を参照して本考案の好適な実施の形態を詳細に説明する。
【００１０】
まず、図３、図５を参照して説明する。本考案に係るフォトフレーム２０は、フォトフレーム本体２１と、容器２２とを含む。
【００１１】
前記フォトフレーム本体２１の額縁の内側には収容空間２１０が形成されている。フォトフレーム本体２１の前面には透明面（透明板）２１１が設けてある。
前記収容空間２１０に面した両側の額縁２１４には係り具２１２がそれぞれ突設されている。上端の額縁には押付ブロック２１３が設けてある。底額縁２１６にはパッド２１６０が設けてある。
また、両側の額縁２１４の上部には、斜め切り欠２１５が夫々設けてある。
両側の額縁２１４の下段には底額縁２１６に対して垂直な溝２１７が夫々設けてある。前記溝２１７は前記底額縁２１６から前記斜め切り欠２１５の下方の接近する箇所まで連続して形成されている。これにより、溝２１７により分断された両側の額縁２１４の下半の一部が外側に移動可能な支持脚２１８を構成するようになっている。
【００１２】
容器２２の一側には、フォトフレーム本体２１の収容空間２１０の輪郭と同じ凸額縁２２０が形成されている。前記凸額縁２２０の一側には、該凸額縁２２０の一方に向けて突出した複数の収容部２２１が列設されている。これらの各収容部２２１の内部には各種のものを収容可能な窪み２２２が設けてある。
【００１３】
また、フォトフレーム本体２１の輪郭形状は、図３に示すような例えば長方形状の他に、任意の幾何形状に形成してもよい。
【００１４】
また、前記した係り具２１２の数量及び形成位置は、前記フォトフレーム本体２１の収容空間２１０の大きさによって適宜選択する。
【００１５】
また、前記容器２２は、図３に示すように例えばフォトフレーム本体２１と同じように長方形状にするが、フォトフレーム本体２１の形状に合わせて任意の幾何形状にしてもよい。
【００１６】
また、前記フォトフレーム本体２１及び容器２２は、金属製、または樹脂製等の公知の素材で形成することができる。
【００１７】
次に、図６及び図７を参照しながら本考案のフォトフレームの組付方法について説明する。
フォトフレーム本体２１の収容空間２１０に容器２２を嵌め込む前に、まず、フォトフレーム本体２１の収容空間２１０内に写真等を入れる。
次にフォトフレーム本体２１の収容空間２１０に容器２２の一側にある凸額縁２２０を入れる。すなわち容器２２の一側にある凸額縁２２０を押付ブロック２１３に位置合わせをし、額縁の内側にある係り具２１３と、底額縁２１６に設けられたパッド２１６０とが掛止するまで両部材２１，２２を互いに押付ける。
これにより、容器２２がフォトフレーム本体２１に掛止されて本考案のフォトフレーム２０が完成する。
【００１８】
次に、図８及び図９を参照しながら本考案の使用方法について説明する。
本考案のフォトフレーム２０は、両側の額縁２１４の上部にある斜め切り欠２１５と、両側の額縁２１４の下段に形成された溝２１７とにより、両側の額縁２１４の下半を前記溝２１７からフォトフレーム２０の後方に強く引くことにより、支持脚２１８が形成される。フォトフレーム２０から支持脚２１８が開脚することで、フォトフレーム２０を卓上面等に立てることが可能である。
【００１９】
また、本考案のフォトフレーム２０は、写真を展示する機能を具備すると共に、フォトフレーム本体２１の背面に設けられる容器２２の複数の収容部２２１に食品や小さな玩具等を収容することが可能となる。
【図面の簡単な説明】
【００２０】
【図１】従来のフォトフレームの正面斜視図である。
【図２】従来のフォトフレームの背面斜視図である。
【図３】本考案のフォトフレームを背面から見た分解斜視図である。
【図４】本考案に係るフォトフレーム本体の背面から見た斜視図である。
【図５】図４の一部の拡大図である。
【図６】本考案に係るフォトフレームの正面斜視図である。
【図７】本考案に係るフォトフレームの背面斜視図である。
【図８】本考案に係るフォトフレームの使用状態を示す概略図である。
【図９】本考案に係るフォトフレームの使用状態を示す概略図である。
【符号の説明】
【００２１】
１０      フォトフレーム
１１      額縁
１２      封止板
１３      固定片
１４      支持脚
２０      フォトフレーム
２１      フォトフレーム本体
２２      容器
２１０    収容空間
２１１    透明面
２１２    係り具
２１３    押付ブロック
２１４    両側額縁
２１５    斜め切り欠
２１６    底額縁
２１７    溝
２１８    支持脚
２２０    凸額縁
２２１    収容部
２２２    窪み
２１６０  パッド
【図１】
0003140308.tif 000003
【図２】
0003140308.tif 000004
【図３】
0003140308.tif 000005
【図４】
0003140308.tif 000006
【図５】
0003140308.tif 000007
【図６】
0003140308.tif 000008
【図７】
0003140308.tif 000009
【図８】
0003140308.tif 000010
【図９】
0003140308.tif 000011